(57)【要約】【課題】ＰＥＴ薬剤を用いた診断に使用される手動式放射性液体投与装置において、生理食塩水用シリンジを含む種々の部材の取り扱いを容易なものとし、患者に対するＰＥＴ薬剤の安全且つ確実な投与を行うと共に、医療従事者の被曝量の削減を実現し、さらには、ＰＥＴ薬剤等が漏れた場合の汚染除去対策を充分に考慮した手動式放射性液体投与装置の補助器具を提供する。【解決手段】本発明は、手動式放射性液体投与装置に取り付けられるシリンジ台として使用される補助器具であって、該補助器具は、シリンジシールド用嵌合部と、生理食塩水用シリンジ用嵌合部と、を備えている。このシリンジシールド用嵌合部と生理食塩水用シリンジ用嵌合部は、いずれも凹状に形成され、互いに直交するように配置されている。また、シリンジシールド用嵌合部と生理食塩水用シリンジ用嵌合部の下方に、受け皿用収容部を備えている。【選択図】図５
2008093000.tif 000002
【特許請求の範囲】
【請求項１】
手動式放射性液体投与装置に取り付けられるシリンジ台として使用される補助器具であって、該補助器具は、シリンジシールド用嵌合部と、生理食塩水用シリンジ用嵌合部と、を備えたことを特徴とする手動式放射性液体投与装置の補助器具。
【請求項２】
シリンジシールド用嵌合部と生理食塩水用シリンジ用嵌合部は、いずれも凹状に形成されている請求項１に記載の手動式放射性液体投与装置の補助器具。
【請求項３】
シリンジシールド用嵌合部と生理食塩水用シリンジ用嵌合部は、互いに直交するように配置されている請求項１または２に記載の手動式放射性液体投与装置の補助器具。
【請求項４】
シリンジシールド用嵌合部と生理食塩水用シリンジ用嵌合部の下方に、受け皿用収容部を備えている請求項１乃至３のいずれかに記載の手動式放射性液体投与装置の補助器具。
【請求項５】
受け皿用収容部の下面に、手動式放射性液体投与装置を受け入れる挿入部を備えている請求項１乃至４のいずれかに記載の手動式放射性液体投与装置の補助器具。
【請求項６】
生理食塩水用シリンジ用嵌合部は、所定の厚さを備えている板部材に凹状に形成され、シリンジシールド用嵌合部は、前記板部材の側壁に横Ｌ字状の板部材を取り付けて凹状に形成されている請求項１乃至５のいずれかに記載の手動式放射性液体投与装置の補助器具。
【請求項７】
受け皿用収容部は、生理食塩水用シリンジ用嵌合部とシリンジシールド用嵌合部の下側に所定の厚さを備えている板部材を取り付け、この板部材の上側をＬ字状に窪ませて形成されている請求項１乃至６のいずれかに記載の手動式放射性液体投与装置の補助器具。
【請求項８】
受け皿用収容部は、受け皿を側面から差し込み可能である請求項１乃至７のいずれかに記載の手動式放射性液体投与装置の補助器具。
【請求項９】
手動式放射性液体投与装置を受け入れる挿入部は、受け皿用収容部が形成されている板部材の裏面に凹状に形成されている請求項１乃至８のいずれかに記載の手動式放射性液体投与装置の補助器具。
【請求項１０】
補助器具は、発泡合成樹脂製、もしくは、プラスチック製の素材により形成されている請求項１乃至９のいずれかに記載の手動式放射性液体投与装置の補助器具。
【発明の詳細な説明】
【技術分野】
【０００１】
本発明は、陽電子放射断層撮影法（以下ＰＥＴと称す）に使用されるアイソトープ標識された、例えば、１８Ｆ−ＦＤＧ（２−デオキシ−２−フルオロ−Ｄ−グルコース）等の液状ＰＥＴ薬剤の体内投与により、診断や検査を行う際に使用される、手動式放射性液体投与装置の補助器具に関するものである。
【背景技術】
【０００２】
従来より、陽電子を放出するアイソトープで標識された１８Ｆ−ＦＤＧ（２−デオキシ−２−フルオロ−Ｄ−グルコース）等の液状ＰＥＴ薬剤を体内に投与し、その体内分布を特殊カメラ等で映像化して診断を行うポジトロンＣＴとも称するＰＥＴによる、例えば、ガン等の診断方法が行われている。
【０００３】
このＰＥＴに使用される１８Ｆ−ＦＤＧ（２−デオキシ−２−フルオロ−Ｄ−グルコース）は、グルコースの水酸基のひとつを１８−Ｆに置換したもので、薬剤の寿命である半減期は約１１０分と短く、また、薬剤から放出される陽電子と体内の陰電子との対消滅によって放射されるγ線のエネルギーが高く且つこのエネルギーの透過能力も高いものである。
【０００４】
しかも、デリバリー供給により入手できるＰＥＴ薬剤の放射線量にも限りがあり、被曝量は人体に殆ど影響がないものとして知られている。
【０００５】
このようなＰＥＴ薬剤を被験者に投与（静脈注射）する際には、いかに確実に、また、短時間の内に被験者に投与できるかが重要であり、それが検査のクオリティの向上と医療従業者の被曝の低減につながっている。
【０００６】
このため近年におけるＰＥＴ検査施設においては、医療従業者の被曝を考慮して、ＰＥＴ薬剤の自動投与装置の導入が進められている。
【０００７】
しかし、このような自動投与装置は、非常に高額であることに加えて、装置が故障した場合には、必ず手動にて投与を行わなければならないことから、今後も手動投与装置の必要性や需要が依然として存在している。
【０００８】
このため、手動投与装置の作業改善が課題とされ、今後も自動投与装置をバックアップするものとして、広く活用される傾向にある。
【０００９】
次に、従来の手動式放射性液体投与装置Ｔ（例えば、ＵＧ−１５０Ｐ）による、ＰＥＴ薬剤の投与の手順について説明する。
【００１０】
ａ．手動式放射性液体投与装置ＴとＰＥＴ薬剤の洗い出し用の生理食塩水用シリンジＱを用意する。
【００１１】
ｂ．放射線量測定装置（キュリーメータ）を準備しておく。
【００１２】
ｃ．ＰＥＴ薬剤用シリンジＰをシリンジシールドＳ（例えば、ＵＧ−１５０Ｗ）にセットし、バイアルからＰＥＴ薬剤を吸引する。
【００１３】
ｄ．シリンジシールドＳにセットしたＰＥＴ薬剤用シリンジＰを、放射線量測定装置の手前に置く。
【００１４】
ｅ．シリンジシールドＳのロックを外し、ＰＥＴ薬剤用シリンジＰをシリンジシールドＳから取り外す。
【００１５】
ｆ．図６に示すように、ＰＥＴ薬剤用シリンジＰに吸引したＰＥＴ薬剤の放射線量を、放射線量測定装置で測定する。
【００１６】
ｇ．測定後、ＰＥＴ薬剤用シリンジＰに針を付けたまま、これをシリンジシールドＳに入れる。
【００１７】
ｈ．シリンジシールドＳを片手で押さえながら、ロックを開放した状態でシリンジをいれる。
【００１８】
ｉ．シリンジシールドＳのロックを行い、ＰＥＴ薬剤用シリンジＰのセットを完了する。
【００１９】
ｊ．図７に示すように、手動式放射性液体投与装置ＴにシリンジシールドＳをセットする。そして、三方活栓Ｒを介して、ＰＥＴ薬剤用シリンジＰと生理食塩水用シリンジＱをつなぐ。
【００２０】
また、三方活栓Ｒを介して、ＰＥＴ薬剤用シリンジＰと、患者にＰＥＴ薬剤を送り込む投入ラインＲ２をつなぐ。
【００２１】
このとき、ＰＥＴ薬剤用シリンジＰのピストン側は、手動式放射性液体投与装置Ｔの押圧操作棒Ｔ１の先端に接続されている。そして、手動式放射性液体投与装置Ｔの押圧操作棒Ｔ１を押し込むと、ＰＥＴ薬剤用シリンジＰのピストンが押されるようになっている。
【００２２】
ｋ．ＰＥＴ薬剤と洗い出し用の生理食塩水を患者に投与する。このとき、圧力で三方活栓Ｒが外れないように、片手でしっかりと押さえておく。
【特許文献１】特になし
【発明の開示】
【発明が解決しようとする課題】
【００２３】
しかしながら、上述したＰＥＴ薬剤の投与の手順において、手動式放射性液体投与装置Ｔを単体で使用した場合には、以下のような問題点が生じていた。
【００２４】
第１の問題は、生理食塩水用シリンジＱや三方活栓Ｒの取り扱いと操作が非常に難しかったことである。
【００２５】
この生理食塩水用シリンジＱは、ＰＥＴ薬剤用シリンジＰ内のＰＥＴ薬剤を洗い出すためのものであり、三方活栓Ｒを介してＰＥＴ薬剤用シリンジＰとつながっている。
【００２６】
そして、三方活栓Ｒは、当初、ＰＥＴ薬剤用シリンジＰと、患者にＰＥＴ薬剤を送り込む投入ラインＲ２を導通させるように機能している。
【００２７】
この状態で手動式放射性液体投与装置Ｔの押圧操作棒Ｔ１を押し込むと、ＰＥＴ薬剤用シリンジＰのピストンが押され、ＰＥＴ薬剤用シリンジＰ内のＰＥＴ薬剤が投入ラインＲ２に送り込まれる。
【００２８】
このとき、ＰＥＴ薬剤用シリンジＰ内のＰＥＴ薬剤が非常に少量であることから、ＰＥＴ薬剤が投入ラインＲ２内に留まってしまう事態が生じる。
【００２９】
このような事態を回避するため、先ず、三方活栓Ｒを回動させて、ＰＥＴ薬剤用シリンジＰと生理食塩水用シリンジＱを導通させるように機能させる。
【００３０】
この状態で、生理食塩水用シリンジＱのピストンを押し込むと同時に、手動式放射性液体投与装置Ｔの押圧操作棒Ｔ１を引っ張り、ＰＥＴ薬剤用シリンジＰのピストンを引き出す。
【００３１】
すると、ＰＥＴ薬剤用シリンジＰ内に生理食塩水が送り込まれる。
【００３２】
その後、手動式放射性液体投与装置Ｔの押圧操作棒Ｔ１を押し込むと同時に、
生理食塩水用シリンジＱのピストンを引き出す。
【００３３】
すると、ＰＥＴ薬剤用シリンジＰ内に残っているＰＥＴ薬剤が、生理食塩水と共に生理食塩水用シリンジＱ内に送り込まれる。
【００３４】
これらの動作を数回行い、ＰＥＴ薬剤用シリンジＰ内に残っているＰＥＴ薬剤を洗い出すようにして、全てのＰＥＴ薬剤を生理食塩水と共に生理食塩水用シリンジＱ内に送り込む。
【００３５】
次に、三方活栓Ｒを回動させて、生理食塩水用シリンジＱと、患者にＰＥＴ薬剤を送り込む投入ラインＲ２を導通させるように機能させる。
【００３６】
この状態で、生理食塩水用シリンジＱのピストンを押し込んで、残りのＰＥＴ薬剤を生理食塩水と共に投入ラインＲ２に送り込む。
【００３７】
すると、当初から投入ラインＲ２に留まっていたＰＥＴ薬剤は、生理食塩水に押されるようにして、患者に投与される。
【００３８】
また、残りのＰＥＴ薬剤も、生理食塩水と共に患者に投与される。
【００３９】
このような一連の作業において、ＰＥＴ薬剤用シリンジＰは手動式放射性液体投与装置Ｔにセットされているが、生理食塩水用シリンジＱを支える構造が存在しないため、生理食塩水用シリンジＱを手で持ち、しっかりと支えていなければならなかった。
【００４０】
しかし、右手で手動式放射性液体投与装置Ｔの押圧操作棒Ｔ１を操作しながら、左手で生理食塩水用シリンジＱを支えたり、生理食塩水用シリンジＱのピストンを操作するのは、非常に難しいものである。
【００４１】
そのため、押圧操作棒Ｔ１を操作しているときに、三方活栓Ｒから生理食塩水用シリンジＱが外れてしまう事態が生じていたのである。
【００４２】
また、このような状態において、三方活栓Ｒの脱落を防止しつつ、片手で三方活栓Ｒを回動させるのも、非常に難しいものである。
【００４３】
そして、三方活栓Ｒを操作するための、例えば、ユニバーサル技研（製品名ＵＧ−１５０Ｖ）製の三活シールドが商品化されているが、これが非常に高価であることと、実際の医療デモンストレーションによる使用に対して優位性が乏しいことから、殆ど購入されないケースが多く、依然として、三方活栓Ｒの操作が難しいものとなっていた。
【００４４】
この他、第２の問題として、手動式放射性液体投与装置Ｔを単体で使用した場合には、種々の部材の取り扱いが難しく、その操作に時間がかかっていたことから、医療従事者の被曝量が増える傾向にあった。
【００４５】
さらに、第３の問題として、ＰＥＴ薬剤そのものや、洗い出したＰＥＴ薬剤を含む生理食塩水が漏れた場合の汚染除去対策が、従来においては何らなされていなかった。
【００４６】
例えば、三方活栓Ｒを介して、ＰＥＴ薬剤用シリンジＰと生理食塩水用シリンジＱと患者にＰＥＴ薬剤を送り込む投入ラインＲ２が接続されており、前記したように、生理食塩水用シリンジＱを支える構造が存在しないため、生理食塩水用シリンジＱを手でしっかりと支えなければならなかった。
【００４７】
しかし、手動式放射性液体投与装置Ｔにおいて種々の操作を行う必要があるため、その支えがおろそかになり、生理食塩水用シリンジＱが三方活栓Ｒから外れてしまい、ＰＥＴ薬剤を含む生理食塩水が漏れる事態が生じていたのである。
【００４８】
また、ＰＥＴ薬剤用シリンジＰと三方活栓Ｒがしっかりと接続されていないときには、ＰＥＴ薬剤用シリンジＰから三方活栓Ｒが外れてしまい、ＰＥＴ薬剤が漏れる事態も生じていたのである。
【００４９】
さらに、ＰＥＴ薬剤用シリンジＰと三方活栓Ｒの接続状態、三方活栓Ｒと生理食塩水用シリンジＱの接続状態、三方活栓Ｒと投入ラインＲ２の接続状態は、予め確認するのが当然ではあるが、その確認をうっかり忘れてしまうことがある。
【００５０】
また、不注意等を原因として、それらが外れてしまうことがあり、万が一、ＰＥＴ薬剤が漏れる事態が生じてしまった場合には、早急な汚染除去対策を行う必要がある。
【００５１】
そこで、本発明は如上のような従来存した諸事情に鑑み創出されたもので、ＰＥＴ薬剤を用いた診断に使用される手動式放射性液体投与装置において、生理食塩水用シリンジを含む種々の部材の取り扱いを容易なものとし、患者に対するＰＥＴ薬剤の安全且つ確実な投与を行うと共に、医療従事者の被曝量の削減を実現し、さらには、ＰＥＴ薬剤等が漏れた場合の汚染除去対策を充分に考慮した手動式放射性液体投与装置の補助器具を提供することを目的とする。
【課題を解決するための手段】
【００５２】
本発明は、手動式放射性液体投与装置に取り付けられるシリンジ台として使用される補助器具であって、該補助器具は、シリンジシールド用嵌合部と、生理食塩水用シリンジ用嵌合部と、を備えたことで、上述した課題を解決した。
【００５３】
また、シリンジシールド用嵌合部と生理食塩水用シリンジ用嵌合部は、いずれも凹状に形成されていることで、同じく上述した課題を解決した。
【００５４】
さらに、シリンジシールド用嵌合部と生理食塩水用シリンジ用嵌合部は、互いに直交するように配置されていることで、同じく上述した課題を解決した。
【００５５】
また、シリンジシールド用嵌合部と生理食塩水用シリンジ用嵌合部の下方に、受け皿用収容部を備えていることで、同じく上述した課題を解決した。
【００５６】
加えて、受け皿用収容部の下面に、手動式放射性液体投与装置を受け入れる挿入部を備えていることで、同じく上述した課題を解決した。
【００５７】
また、生理食塩水用シリンジ用嵌合部は、所定の厚さを備えている板部材に凹状に形成され、シリンジシールド用嵌合部は、前記板部材の側壁に横Ｌ字状の板部材を取り付けて凹状に形成されていることで、同じく上述した課題を解決した。
【００５８】
この他、受け皿用収容部は、生理食塩水用シリンジ用嵌合部とシリンジシールド用嵌合部の下側に所定の厚さを備えている板部材を取り付け、この板部材の上側をＬ字状に窪ませて形成されていることで、同じく上述した課題を解決した。
【００５９】
また、受け皿用収容部は、受け皿を側面から差し込み可能であることで、同じく上述した課題を解決した。
【００６０】
さらに、手動式放射性液体投与装置を受け入れる挿入部は、受け皿用収容部が形成されている板部材の裏面に凹状に形成されていることで、同じく上述した課題を解決した。
【００６１】
また、補助器具は、発泡合成樹脂製、もしくは、プラスチック製の素材により形成されていることで、同じく上述した課題を解決した。
【発明の効果】
【００６２】
本発明は、ＰＥＴ薬剤を用いた診断に使用される手動式放射性液体投与装置において、生理食塩水用シリンジを含む種々の部材の取り扱いを容易なものとし、患者に対するＰＥＴ薬剤の安全且つ確実な投与を行うと共に、医療従事者の被曝量の削減を実現し、さらには、ＰＥＴ薬剤等が漏れた場合の汚染除去対策を充分に考慮した手動式放射性液体投与装置の補助器具を提供するものである。
【００６３】
すなわち、本発明は、手動式放射性液体投与装置に取り付けられるシリンジ台として使用される補助器具であって、該補助器具は、シリンジシールド用嵌合部と、生理食塩水用シリンジ用嵌合部と、を備えたことから、手動式放射性液体投与装置において、ＰＥＴ薬剤用シリンジを取り付けたシリンジシールドと、生理食塩水用シリンジを、手動式放射性液体投与装置に簡単にセットできる。
【００６４】
また、シリンジシールド用嵌合部と生理食塩水用シリンジ用嵌合部は、いずれも凹状に形成されているので、シリンジシールド用嵌合部にＰＥＴ薬剤用シリンジを取り付けたシリンジシールドをセットしたときには、このシリンジシールドが簡単に外れることがない。
【００６５】
同様に、生理食塩水用シリンジ用嵌合部に生理食塩水用シリンジをセットしたときには、生理食塩水用シリンジが簡単に外れることがない。
【００６６】
また、従来のように、生理食塩水用シリンジを手で持ち、しっかりと支える必要がなくなるため、生理食塩水用シリンジが三方活栓から不意に外れてしまう事態を回避すると共に、動式放射性液体投与装置における押圧操作棒の操作や、三方活栓の操作を、誰もが簡単に行うことができる。
【００６７】
さらに、シリンジシールド用嵌合部と生理食塩水用シリンジ用嵌合部は、互いに直交するように配置されているので、手動式放射性液体投与装置における正しい位置にシリンジシールドと生理食塩水用シリンジを配置できる。
【００６８】
また、シリンジシールド用嵌合部と生理食塩水用シリンジ用嵌合部の下方に、受け皿用収容部を備えているので、手動式放射性液体投与装置に受け皿を配置できる。
【００６９】
そのため、ＰＥＴ薬剤そのものや、洗い出したＰＥＴ薬剤を含む生理食塩水が漏れた場合であっても、これらを受け皿により受け止めて回収することができる。
【００７０】
加えて、受け皿用収容部の下面に、手動式放射性液体投与装置を受け入れる挿入部を備えているので、手動式放射性液体投与装置に補助器具を確実にセットできる。
【００７１】
また、生理食塩水用シリンジ用嵌合部は、所定の厚さを備えている板部材に凹状に形成され、シリンジシールド用嵌合部は、前記板部材の側壁２に横Ｌ字状の板部材を取り付けて凹状に形成されているので、補助器具の製作が容易であり、その製造コストを低く抑えることができる。
【００７２】
この他、受け皿用収容部は、生理食塩水用シリンジ用嵌合部とシリンジシールド用嵌合部の下側に所定の厚さを備えている板部材を取り付け、この板部材の上側をＬ字状に窪ませて形成されているので、補助器具の製作が容易である。
【００７３】
また、受け皿用収容部は、受け皿を側面から差し込みことが可能であることから、受け皿の取り付けが極めて容易である。
【００７４】
さらに、手動式放射性液体投与装置を受け入れる挿入部は、受け皿用収容部が形成されている板部材の裏面に凹状に形成されているので、補助器具の全体をコンパクトに製作することができる。
【００７５】
また、補助器具は、発泡合成樹脂製、もしくは、プラスチック製の素材により形成されているので、軽量であり、補助器具を介した手動式放射性液体投与装置の各種の操作を容易に行うことができる。
【００７６】
このように、本発明によれば、生理食塩水用シリンジを含む種々の部材の取り扱いを容易なものとし、手動式放射性液体投与装置を効果的に利用することにより、患者に対するＰＥＴ薬剤の安全且つ確実な投与を行うことができる。
【００７７】
また、手動式放射性液体投与装置における種々の操作を迅速に行って、医療従事者の被曝量の削減を実現している。
【発明を実施するための最良の形態】
【００７８】
以下に、本発明を実施するための最良の形態を、図面を参照して説明する。
【００７９】
本発明に係る手動式放射性液体投与装置Ｔの補助器具１は、図３乃至図５に示すように、手動式放射性液体投与装置Ｔに取り付けられる、所謂シリンジ台として使用されるものである。
【００８０】
補助器具１を装着する手動式放射性液体投与装置Ｔ（例えば、ＵＧ−１５０Ｐ）は、図３に示すように、長方形の板状に形成されたベース部Ｔ３の上に、所定の高さを有する台座Ｔ２を取り付けている。
【００８１】
台座Ｔ２は、その先端側に、ＰＥＴ薬剤用シリンジＰがセットされたシリンジシールドＳを載せる載置部Ｔ４を備えている。この載置部Ｔ４には、シリンジシールドＳが落下しないようにするため、所定の長さと高さを有する側板を、台座Ｔ２の両側に取り付けている。
【００８２】
また、側板の先端部には、シリンジシールドＳの前方への移動を阻止する立設片を設けている。この立設片は、シリンジシールドＳの両角部に合致するように、９０度の角度に折曲して形成されている。
【００８３】
さらに、台座Ｔ２は、その後端側に、押圧操作棒Ｔ１を備えている。この押圧操作棒Ｔ１は、台座Ｔ２に固定した方形状の板部材Ｔ５を介して台座Ｔ２に取り付けられている。押圧操作棒Ｔ１の先端部には、ＰＥＴ薬剤用シリンジＰのピストンにおける親指あて部分を嵌め込む嵌合部Ｔ６が取り付けられている。この嵌合部Ｔ６は、両側片が互いに内側を向くように折曲して形成されている。
【００８４】
手動式放射性液体投与装置Ｔに装着する補助器具１は、図１・図２に示すように、発泡合成樹脂製、もしくは、プラスチック製等の素材を用いて略矩形ブロック状の複数の板を組み合わせて接合するにより形成されている。
【００８５】
この補助器具１は、図１に示すように、シリンジシールド用嵌合部３と、生理食塩水用シリンジ用嵌合部４を備えている。
【００８６】
また、シリンジシールド用嵌合部３と、生理食塩水用シリンジ用嵌合部４は、いずれも凹状に形成され、互いに直交するように配置されている。
【００８７】
すなわち、生理食塩水用シリンジ用嵌合部４は、所定の厚さを備えている略長方形状の板部材ａに、凹状に形成されている。
【００８８】
また、シリンジシールド用嵌合部３は、生理食塩水用シリンジ用嵌合部４が設けられている板部材ａの長手方向における側壁２に、略横Ｌ字状の板部材ｂを取り付けて形成されている。シリンジシールド用嵌合部３は、板部材ａの側壁２と、略横Ｌ字状の板部材ｂの内側面により、凹状に形成されているのである。
【００８９】
さらに、補助器具１は、図１に示すように、シリンジシールド用嵌合部３と生理食塩水用シリンジ用嵌合部４の下方に、受け皿用収容部５を備えている。
【００９０】
この受け皿用収容部５は、生理食塩水用シリンジ用嵌合部４とシリンジシールド用嵌合部３の下側に所定の厚さを備えている板部材ｃを取り付け、この板部材ｃの上側をＬ字状に窪ませて形成されている。
【００９１】
また、受け皿用収容部５は、図３に示すように、受け皿Ｖを側面から差し込み可能である。
【００９２】
加えて、受け皿用収容部５の下面には、図２に示すように、手動式放射性液体投与装置Ｔを受け入れる挿入部６を備えている。この挿入部６は、受け皿用収容部５が形成されている板部材ｃの裏面に凹状に形成されている。
【００９３】
次に、以上のように構成された本発明の最良の形態について、使用の一例を説明する。
【００９４】
先ず、図３に示す補助器具１と手動式放射性液体投与装置Ｔが離れた状態から、図４に示すように、補助器具１を手動式放射性液体投与装置Ｔに装着する。
【００９５】
具体的には、手動式放射性液体投与装置Ｔのベース部Ｔ３の先端部を、補助器具１の挿入部６に差し入れるのである。
【００９６】
このとき、手動式放射性液体投与装置Ｔの載置部Ｔ４は、補助器具１のシリンジシールド用嵌合部３に嵌め入れられた状態となっている。また、載置部Ｔ４の先端部は、シリンジシールド用嵌合部３の側方に突出しない状態を維持している。
【００９７】
次に、図３・図４に示すように、補助器具１の受け皿用収容部５に、受け皿Ｖを側方から差し込んで固定する。これにより、手動式放射性液体投与装置Ｔへの補助器具１の装着が完了する。
【００９８】
そして、図５に示すように、補助器具１のシリンジシールド用嵌合部３に嵌め入れられている手動式放射性液体投与装置Ｔの載置部Ｔ４に、シリンジシールドＳを載せる。
【００９９】
このシリンジシールドＳは、方形柱状に形成され、その中央部に、ＰＥＴ薬剤用シリンジＰのシリンダ部分が嵌め入れられる嵌挿孔を備えている。また、シリンジシールドＳにＰＥＴ薬剤用シリンジＰをセットした際には、ＰＥＴ薬剤用シリンジＰの一端のフランジ部が嵌挿孔の開口縁部に係止される。
【０１００】
さらに、シリンジシールドＳの開口縁部近傍に配した回転式のロックレバーを、ＰＥＴ薬剤用シリンジＰのフランジ部に係架させることによって、フランジ部Ｆがロックされ、シリンジシールドＳにＰＥＴ薬剤用シリンジＰが固定されるのである。
【０１０１】
ＰＥＴ薬剤用シリンジＰが固定されているシリンジシールドＳを手動式放射性液体投与装置Ｔの載置部Ｔ４に載せたとき、図５に示すように、ＰＥＴ薬剤用シリンジＰのピストンにおける親指あて部分を、手動式放射性液体投与装置Ｔにおける押圧操作棒Ｔ１の嵌合部Ｔ６に嵌め込んでおく。
【０１０２】
次に、補助器具１の生理食塩水用シリンジ用嵌合部４に、生理食塩水用シリンジＱを嵌め込んで固定する。
【０１０３】
そして、図５に示すように、三方活栓Ｒを介して、ＰＥＴ薬剤用シリンジＰと生理食塩水用シリンジＱをつなぐ。この三方活栓Ｒには、投入ラインＲ２が接続されている。投入ラインＲ２の先端には、患者にＰＥＴ薬剤を投与するための針が取り付けられている。
【０１０４】
この三方活栓Ｒは、９０度の角度で回動可能なコックＲ１を備えている。このコックＲ１の一方向側への回動により、当該三方活栓ＲにおけるＰＥＴ薬剤用シリンジＰの接続側流路と、投入ラインＲ２の接続側流路が導通する一方、当該三方活栓Ｒにおける生理食塩水用シリンジＱの接続側流路と、投入ラインＲ２の接続側流路が閉止される。
【０１０５】
また、コックＲ１の他方向側への回動により、当該三方活栓Ｒにおける生理食塩水用シリンジＱの接続側流路と、投入ラインＲ２の接続側流路が導通する一方、当該三方活栓ＲにおけるＰＥＴ薬剤用シリンジＰの接続側流路と、投入ラインＲ２の接続側流路が閉止される。
【０１０６】
このように、双方の流路における導通状態と閉止状態が、コックＲ１の回動により交互に切り換えられるようになっている。
【０１０７】
患者へのＰＥＴ薬剤の投与は、以下の手順により行う。
【０１０８】
先ず、図６に示すように、ＰＥＴ薬剤用シリンジＰに吸引したＰＥＴ薬剤の放射線量を、放射線量測定装置Ｍで測定する。
【０１０９】
次に、ＰＥＴ薬剤用シリンジＰに針を付けたまま、これをシリンジシールドＳに入れて固定する。
【０１１０】
このシリンジシールドＳを、補助器具１のシリンジシールド用嵌合部３に嵌め入れられている手動式放射性液体投与装置Ｔの載置部Ｔ４に載せる。
【０１１１】
また、補助器具１の生理食塩水用シリンジ用嵌合部４に、生理食塩水を入れた生理食塩水用シリンジＱを嵌め込んで固定する。
【０１１２】
そして、三方活栓Ｒを接続する。
【０１１３】
この三方活栓Ｒは、コックＲ１を回動させて、ＰＥＴ薬剤用シリンジＰの接続側流路と投入ラインＲ２の接続側流路を導通させるようにする。
【０１１４】
この状態で手動式放射性液体投与装置Ｔの押圧操作棒Ｔ１を押し込むと、ＰＥＴ薬剤用シリンジＰのピストンが押され、ＰＥＴ薬剤用シリンジＰ内のＰＥＴ薬剤が投入ラインＲ２に送り込まれる。
【０１１５】
次に、コックＲ１を回動させて、ＰＥＴ薬剤用シリンジＰの接続側流路と生理食塩水用シリンジＱの接続側流路を導通させるようにする。
【０１１６】
この状態で、生理食塩水用シリンジＱのピストンを押し込むと同時に、手動式放射性液体投与装置Ｔの押圧操作棒Ｔ１を引っ張り、ＰＥＴ薬剤用シリンジＰのピストンを引き出す。すると、ＰＥＴ薬剤用シリンジＰ内に生理食塩水が送り込まれる。
【０１１７】
その後、手動式放射性液体投与装置Ｔの押圧操作棒Ｔ１を押し込むと同時に、生理食塩水用シリンジＱのピストンを引き出す。すると、ＰＥＴ薬剤用シリンジＰ内に残っているＰＥＴ薬剤が、生理食塩水と共に生理食塩水用シリンジＱ内に送り込まれる。
【０１１８】
これらの動作を数回行い、ＰＥＴ薬剤用シリンジＰ内に残っているＰＥＴ薬剤を洗い出すようにして、全てのＰＥＴ薬剤を生理食塩水と共に生理食塩水用シリンジＱ内に送り込む。
【０１１９】
次に、コックＲ１を回動させて、生理食塩水用シリンジＱの接続側流路と患者にＰＥＴ薬剤を送り込む投入ラインＲ２の接続側流路を導通させるようにする。
【０１２０】
この状態で、生理食塩水用シリンジＱのピストンを押し込んで、残りのＰＥＴ薬剤を生理食塩水と共に投入ラインＲ２に送り込む。すると、当初から投入ラインＲ２に留まっていたＰＥＴ薬剤は、生理食塩水に押されるようにして、患者に投与される。また、残りのＰＥＴ薬剤も、生理食塩水と共に患者に投与されるのである。
【産業上の利用可能性】
【０１２１】
本発明に係る補助器具は、診断や検査を行う際に使用される手動式放射性液体投与装置以外の、種々の液体投与装置の補助器具として幅広く利用できるものである。
【図面の簡単な説明】
【０１２２】
【図１】シリンジシールド用嵌合部と生理食塩水用シリンジ用嵌合部を備えている補助器具の全体構成を示す斜視図である。
【図２】挿入部を備えている補助器具の全体構成を示す裏面側の斜視図である。
【図３】手動式放射性液体投与装置に装着する補助器具と、補助器具に装着する受け皿の組み付け状態を示す分解斜視図である。
【図４】手動式放射性液体投与装置に補助器具を装着した状態を示す斜視図である。
【図５】手動式放射性液体投与装置に補助器具を装着し、ＰＥＴ薬剤用シリンジを固定しているシリンジシールドと、生理食塩水用シリンジを補助器具に嵌め込み、三方活栓を介してつないでいる使用状態を示す斜視図である。
【図６】ＰＥＴ薬剤用シリンジをシリンジシールドから取り外し、放射線量測定装置にセットした状態を示す斜視図である。
【図７】従来における手動式放射性液体投与装置の使用状態を示す斜視図である。
【符号の説明】
【０１２３】
Ｐ…ＰＥＴ薬剤用シリンジ
Ｑ…生理食塩水用シリンジ
Ｒ…三方活栓
Ｒ１…コック
Ｒ２…投入ライン
Ｓ…シリンジシールド
Ｔ…手動式放射性液体投与装置
Ｔ１…押圧操作棒
Ｔ２…台座
Ｔ３…ベース部
Ｔ４…載置部
Ｔ５…板部材
Ｔ６…嵌合部
Ｖ…受け皿
１…補助器具
２…側壁
３…シリンジシールド用嵌合部
４…生理食塩水用シリンジ用嵌合部
５…受け皿用収容部
６…挿入部
【図１】
2008093000.tif 000003
【図２】
2008093000.tif 000004
【図３】
2008093000.tif 000005
【図４】
2008093000.tif 000006
【図５】
2008093000.tif 000007
【図６】
2008093000.tif 000008
【図７】
2008093000.tif 000009